(57)【要約】      （修正有）【課題】猫や犬などの抜け毛掃除の時に、近づけても嫌がらない抜け毛の吸引機を提供し、吸引の時に毛の量や、フケの有無、ノミの有無を視認できるようにすること。【解決手段】透明もしくは半透明な樹脂製のケース９に、紙状のフィルター１０（キッチンペーパーやティッシュペーパー、フローリング掃除のペーパーなど）を平面のまま、張力を持たせて挟み込みフィルターとし、吸引用のファンにパソコンの冷却用に使われているシロッコファンを使い解決する。ケースが透明でフィルターも平面なため吸引物がすぐに確認でき、ファンも静かなため多くの猫や犬が近づけても嫌がらない。【選択図】図２
2011055761.tif 000002
【特許請求の範囲】
【請求項１】
吸気ホースと、抜け毛の集積室と、フィルターと、ファンモーターとからなるペット用の抜け毛吸引機であって、ファンモーターに電化製品の冷却用シロッコファンを用いたことを特徴とするペット用抜け毛吸引機。
【請求項２】
前記吸引機のホースと、抜け毛の集積室に、透明もしくは半透明な樹脂を用いたことを特徴とする請求項１記載のペット用抜け毛吸引機。
【請求項３】
前記吸引機のフィルターに、キッチンペーパーや、ティッシュペーパー、フローリング掃除用ペーパー、換気扇フィルターなどの紙状平面材料を使用することを特徴とする請求項１記載のペット用抜け毛吸引機。
【請求項４】
前記吸引機の抜け毛集積室に固定するフィルターであって、キッチンペーパーや、ティッシュペーパー、フローリング掃除用ペーパー、換気扇フィルターなどの紙状平面材料を、係合部のフタに張力を持たせたまま直接平面のまま挟み込むことで固定することを特徴とした請求項１または請求項２または請求項３記載のペット用抜け毛吸引機。
【請求項５】
前記吸引機の抜け毛集積室に固定する凸レンズであって、内部に溜まった抜け毛の量やノミの有無、フケの有無を凸レンズの効果により拡大して視認できることを特徴とした請求項１または請求項２または請求項３または、請求項４記載のペット用抜け毛吸引機。
【発明の詳細な説明】
【技術分野】
【０００１】
本発明は猫や犬などの毛の多い動物で、抜け毛の吸引を行う道具に関する。
【背景技術】
【０００２】
猫や犬などの毛の多い動物について、ブラッシングの時や自然な生え変わりなどにより、無駄毛など大量の毛が抜け落ちる。この抜け毛を、掃除機などによって吸い取るために、掃除機のホースの先端に専用のブラシを取り付けるなどの工夫がなされている。
【０００３】
特許文献１には、掃除機のノズルの先端に取り付けるペット用のブラシが開示されている。
【先行技術文献】
【特許文献】
【０００４】
【特許文献１】特開２００６−３２６２４３号公報
【発明の概要】
【発明が解決しようとする課題】
【０００５】
猫や犬などの毛の多い動物について、毛のブラッシングを行うと、無駄毛など大量の毛が抜ける。その一部は空気中を飛散したり、落ちた毛も、手で回収する場合、大変なことが多い。そのため、掃除機を使って、ブラッシングしながら毛を吸い取るという方法がある。一部の猫や犬は、掃除機の音を嫌がることなく吸引に応じるが、一般的にほとんどの猫や犬は、掃除機の吸引の音に敏感に反応し、掃除機のノズルを体に当てようとすると逃げてしまうことが知られている。そのため、掃除機の先端に取り付ける、ペット専用のブラシなどが販売されているが、多くの場合、ブラシを活用する以前に、掃除機の吸引の大音量、大風量によって逃げてしまう問題があった。また、掃除機の多くは、吸引力が強く、猫や犬の体の表面にノズルが触れると、吸引力で吸着してしまうため、多くの猫や犬は、吸着そのものを恐れる傾向があった。
【０００６】
猫や犬の多くは知能が高く、日々飼い主が掃除をするのを見ており、掃除機が全出力で掃除を行うとどの程度の騒音があり、吸引力がどの程度あるか、などのことを覚えてしまっている。そのため、猫や犬が嫌がらないように、掃除機そのものの出力を下げて、静かな動作をさせても、いつ掃除機が最大出力になるかわからないという不安感から、掃除機のノズルを見るだけで警戒されてしまうことが多い。そのため、掃除機を活用する場合、掃除機の出力を下げても、吸引には応じてくれず、精神的不安感により逃げてしまう問題があった。
【０００７】
猫や犬などの毛の多い動物について、毛のブラッシングを行うときには、抜ける毛の量や、フケが混じっていないか、ノミは生息していないか、などを飼い主がチェックすることにより、現在の健康状態をチェックすることができる。しかしながら、一般的な紙パック式の掃除機を使う場合、吸い込まれたゴミを視認できないため、どの程度の毛を吸い取ったのか、フケは混じっているのか、ノミは居ないか、などのチェックができなかった。
【０００８】
猫や犬などの毛の多い動物について、一般的な紙パック式の掃除機を使って吸引する場合、大量に毛が取れるため、紙パックが床を掃除するよりも早くいっぱいになってしまう。また、もしもノミやダニが混じって吸引されている場合、ノミが紙パックの中で生息し続けるため、紙パックをなるべく早々に捨てたほうが、衛生的に良い。しかし、一般的な家庭用の紙パックは、小さな塵やホコリも逃さないように何重にも紙を積層する設計にされており、頻繁に交換するには割高になってしまう問題があった。
【課題を解決するための手段】
【０００９】
本発明は、一般に掃除機に使用されている大音量、大風量のターボファンではなく、パソコンや電気機器の空冷用に設計、販売されている静音設計のファンモータ、もしくは静音設計のシロッコファンをメインの送風機に採用することで、大幅な静音化を行うことにより、課題を解決した。消費電力が大幅に落ちるため、風圧、風量も大幅に落ちる。そのため通常の一般的に使用されている紙パックを使うと、目が細かいため空気抵抗が大きく、十分な風量が得られない。そのため、本発明では、平面的で、紙パックよりも目が粗い、手ごろなフィルター（特に、キッチンペーパーやティッシュペーパー、フローリング掃除用シートや、換気扇用のフィルター）を本発明のフィルターに採用することで、風圧、風量が少なくても吸引できるようにした。キッチンペーパーやティッシュペーパー、フローリング掃除用シート、換気扇のフィルターは、掃除機で使われている紙パックよりも目が粗く、風力が弱い送風機でも十分な風量が得られる一方で、猫や犬の毛、フケ、ノミなどを通さない程度の目の細かさは十分にあり、１枚当たりのコストが紙パックよりも大幅に安い。
【００１０】
フィルターは平面的に固定し、本体ケースと吸引ノズルを透明もしくは半透明とすることで、吸引されたものを常に視認することができるようになり、課題となっている、毛の量や、フケ、ノミの有無などを確認することができる。
【００１１】
本発明では、キッチンペーパーやティッシュペーパー、フローリング掃除に使われる吸着シートや、換気扇用のフィルターを本発明吸引機のフィルターに採用することで、大幅なコストダウンを実現し、その都度フィルターを丸めて捨てることが可能となり、コスト及び、衛生的問題を解決した。
【発明の効果】
【００１２】
本発明吸引機を使うことにより、大幅な静音化がなされるため、多くの猫や犬は逃げずに吸引に応じてくれるようになり、これまで手作業で行ってきた無駄毛、ブラッシング時の抜け毛の掃除が大幅に容易になる。また、フィルターとして薄くて平面的な材料、たとえば、キッチンペーパーや、ティッシュペーパー、フローリング掃除の吸着シート、換気扇用のフィルターなどを使うことで、フィルター単価が大幅に安く済むようになり、吸引の度に丸めて捨てて、新しいフィルターに交換することができる。また、前記平面的なフィルターと、本体を透明もしくは半透明にすることで、吸引の途中でも吸引物を視認することができるようになり、毛の量や、毛の長さ、フケの有無、ノミの有無などが目視にて確認することができるようになり、猫や犬の健康状態を把握することができるようになる。
【図面の簡単な説明】
【００１３】
【図１】本発明吸引機の外観を示した図である
【図２】本発明吸引機の分解図を示した図である
【図３】本発明吸引機を使って実際に猫の毛を吸引している様子
【図４】本発明吸引機を使って吸い取った毛を、透明、もしくは半透明のケースの外から見た様子
【図５】本発明吸引機のホースの先端に取り付けるブラシ付ヘッド
【発明を実施するための形態】
【００１４】
以下、本発明の実施の形態について図面を参照して説明する。
図１において、本発明吸引機の外観を示す。中空箱型の容器５と中空箱型の容器７は、透明もしくは半透明な樹脂製の部材で構成され、中心部分で係合部材によって係合され、その間にはフィルター２が挟まれている。前記容器７には吸気ホース１が係合される。前記容器５の中には、シロッコファンが内蔵され、前記ホース１から吸気した空気は容器７を通過し、フィルター２を通過後、容器５を通り、シロッコファンを経由して、排気口６より排気される。シロッコファンの電源４は交流もしくは直流でモーターの仕様に依存する。電源電力は、スイッチを兼ねた電圧調整バルブ３を経てシロッコファンに供給される。電圧が調整されることにより、シロッコファンの強弱が制御され、一番弱い設定から開始し、猫や犬が怖がらないか様子を見ながら調整することができる。容器７には、凸レンズ３２を備え、吸引した毛の中に、フケやノミが居ないか容易に確認できるようにした。
【００１５】
図２において、吸引機本体の分解図を示す。容器９と容器１４を連結する連結部１２は、気密を維持するパッキンと、固定用の爪１１を備え、容器９と容器１４を空気漏れの無いように連結する。連結部１２と容器９の間にフィルター１０を挟んだまま連結することで、吸気ホース８から入る空気はすべて容器９の中を通りフィルター１０を経由し、容器１４へと流れる構造となる。フィルター１０は挟まれることによって、張力を発生し、フィルターは平面の膜状を維持するようになる。容器９と容器１４は透明もしくは半透明の樹脂製とし、フィルター１０の平面上に溜まる毛やフケ、ノミなどを随時視認できる。容器９と容器１４、連結部１２の係合部は爪のあるタッパー容器とほぼ同様の構造であり、容器９及び容器１４と連結、密閉される。容器１４の中にはシロッコファン１６が備え付けられ、吸引した空気は、すべての空気がホース８を通り、すべての空気が容器９を通過し、すべての空気がフィルター１０を通過し、すべての空気がシロッコファン１６を通り、廃棄口１８から排気される。その区間に空気の漏れが無いように、それぞれの部材の係合部には密閉性がある。
【００１６】
図３において、猫２７から抜けた毛は、吸気口２６から吸気され、図２の容器９とフィルター１０の間にできた空間に蓄積される。主に、平面状の張力を保ったフィルター１０の上に積層されていく。
【００１７】
図４において、溜まった毛２８は、容器が透明もしくは半透明のため、外から視認できる。フィルターが平面的に張力を保ったまま固定でき、容器が透明もしくは半透明のため、毛の量や、フケの有無、ノミの有無も視認できる。凸レンズ３４を通して、内部に溜まった毛の様子を拡大して視認することができるため、もしもノミが居たりする場合は凸レンズの効果により拡大視するため確認が容易である。
【００１８】
図５において、前記吸気口の先端に組み合わせて装着する、ブラシヘッドを示す。ブラシ３０は細い均一の針金もしくは樹脂で構成され、ブラシによって掻き出した毛やフケ、ノミなどはノズル３１を通過して吸引され、前記フィルター部に溜まる。容器が透明で、フィルター部が平面的なため、容易に視認できる。
【産業上の利用可能性】
【００１９】
猫や犬の抜け毛処理のときに、従来は手作業に依存するところが大きかったが、本発明吸引機を使うことにより、多くの猫や犬が嫌がることなく抜け毛処理に応じてくれるようになる。そうした製品の発売は産業上大きな効果を与える可能性がある。
【符号の説明】
【００２０】
１    吸引ノズルとホース
２    薄い紙状の平面フィルター
３    電源スイッチと出力調整バルブ
４    電源ケーブル
５    シロッコファンの収納室
６    排気口
７    抜け毛、フケ、ノミなどの集積室。透明、もしくは半透明な樹脂で形成
８    吸気ホース
９    抜け毛、フケ、ノミなどの集積室。透明、もしくは半透明な樹脂で形成
１０  薄い紙状の平面フィルター
１１  集積室と、フィルター、シロッコファンの収納室を固定するためのクリップ
１２  集積室と、フィルター、シロッコファンの収納室を固定するための固定部材
１３  電源ケーブル
１４  シロッコファンの収納室
１５  吸気ホースを差し込む穴
１６  シロッコファン
１７  シロッコファンの排気口
１８  排気口
２６  吸気ホース  
２７  抜け毛の手入れを受けている猫
２８  抜け毛、フケ、ノミなどの集積室。
２９  排気口
３０  毛の手入れ用ブラシ、またはノミ取りブラシ
３１  吸気ダクト
３２  凸レンズ
３３  凸レンズ
３４  凸レンズと、凸レンズを通して見えるノミ
【図１】
2011055761.tif 000003
【図２】
2011055761.tif 000004
【図３】
2011055761.tif 000005
【図４】
2011055761.tif 000006
【図５】
2011055761.tif 000007